(57)【要約】【課題】周辺環境に応じて使用者に見やすく表示することのできる、発光型ディスプレイと電子ペーパーとを組み合わせた表示装置、および、発光型ディスプレイと電子ペーパーとを組み合わせた表示装置における表示制御方法を提供する。【解決手段】発光することにより表示可能なディスプレイである発光型ディスプレイと、外光を反射することで表示を視認可能であって背面からの光を透過する透明状態となることができるディスプレイである電子ペーパーとを、表示を観察する側から見たときに電子ペーパーが発光型ディスプレイに対して手前となるよう配置してなる表示装置を、周囲の照度が所定値を超えているときに電子ペーパーによる表示を行い、周囲の照度が所定値を超えていないときに発光型ディスプレイによる表示を行うとともに電子ペーパーを透明状態とするよう構成する。【選択図】図１
2011075663.tif 000002
【特許請求の範囲】
【請求項１】
発光することにより表示可能なディスプレイである発光型ディスプレイと、外光を反射することで表示を視認可能であって背面からの光を透過する透明状態となることができるディスプレイである電子ペーパーとを、表示を観察する側から見たときに前記電子ペーパーが前記発光型ディスプレイに対して手前となるよう配置してなる表示装置であって、
周囲の照度が所定値を超えているときに前記電子ペーパーによる表示を行い、
前記周囲の照度が前記所定値を超えていないときに前記発光型ディスプレイによる表示を行うとともに前記電子ペーパーを透明状態とすることを特徴とする、表示装置。
【請求項２】
前記周囲の照度が前記所定値を超えているときに、さらに前記発光型ディスプレイの発光動作をしないことを特徴とする、請求項１に記載の表示装置。
【請求項３】
前記周囲の照度が前記所定値を超えていないときに、
該表示装置が、消費電力を削減すべき節電モードで動作している場合は前記電子ペーパーによる表示を行い、
該表示装置が、前記節電モードで動作していない場合は前記発光型ディスプレイによる表示を行うとともに前記電子ペーパーを透明状態とすることを特徴とする、請求項１または２に記載の表示装置。
【請求項４】
周囲の照度が所定値を超えているかどうかを判断する第１のステップと、
前記周囲の照度が前記所定値を超えているときに、表示を観察する側から見たときに手前に配置される、外光を反射することで表示を視認可能であって背面からの光を透過する透明状態となることができるディスプレイである電子ペーパーによる表示を行う第２のステップと、
前記周囲の照度が前記所定値を超えていないときに、前記電子ペーパーを透明状態とし、表示を観察する側から見たときに前記電子ペーパーよりも奥に配置される、発光することにより表示可能なディスプレイである発光型ディスプレイによる表示を行う第３のステップとを有する、表示制御方法。
【発明の詳細な説明】
【技術分野】
【０００１】
本発明は、発光型ディスプレイと電子ペーパーとを組み合わせた表示装置、および、発光型ディスプレイと電子ペーパーとを組み合わせた表示装置における表示制御方法に関する。
【背景技術】
【０００２】
一旦電気的に描画するとその描画内容を維持するのにほとんど電力を消費しない表示装置である電子ペーパーの実用化が進んでいる。バックライトつき液晶ディスプレイ上に電子ペーパーを重ねて構成するとともに、通常モードでは電子ペーパーを透明に制御して液晶ディスプレイの画像を透過させ、節電モードでは液晶ディスプレイをオフにして電子ペーパーのみで表示を行い、消費電力を抑える技術が、特許文献１に記載されている。
【先行技術文献】
【特許文献】
【０００３】
【特許文献１】特開２００８−１０２６６０号公報
【発明の概要】
【発明が解決しようとする課題】
【０００４】
特許文献１に記載の技術では、使用者による操作の有無を検出し、通常モードにおいて所定時間内に操作がなかったとき、または使用者が明示的に切り換え操作を行ったときに、節電モードへの切り換えを行い、節電モードにおいて使用者が操作を行ったときに通常モードへの切り換えを行うようにしている。
【０００５】
これは、消費電力削減の観点で電子ペーパーを併用する場合には適切であるが、バックライトつき液晶ディスプレイパネルのように、外光によらず発光して表示する発光型ディスプレイと、外光を反射して表示する電子ペーパーとの相違による見やすさを考慮していないため、使用状況によっては、省電力効果を得ることはできても使用者が却って使いづらいものとなってしまう。
【０００６】
そこで、本発明は、周辺環境に応じて使用者に見やすく表示することのできる、発光型ディスプレイと電子ペーパーとを組み合わせた表示装置、および、発光型ディスプレイと電子ペーパーとを組み合わせた表示装置における表示制御方法を提供することを目的とする。
【課題を解決するための手段】
【０００７】
本発明の表示装置は、発光することにより表示可能なディスプレイである発光型ディスプレイと、外光を反射することで表示を視認可能であって背面からの光を透過する透明状態となることができるディスプレイである電子ペーパーとを、表示を観察する側から見たときに電子ペーパーが発光型ディスプレイに対して手前となるよう配置してなる表示装置であって、周囲の照度が所定値を超えているときに電子ペーパーによる表示を行い、周囲の照度が所定値を超えていないときに発光型ディスプレイによる表示を行うとともに電子ペーパーを透明状態とすることを特徴とする。
【０００８】
本発明の表示制御方法は、周囲の照度が所定値を超えているかどうかを判断する第１のステップと、周囲の照度が所定値を超えているときに、表示を観察する側から見たときに手前に配置される、外光を反射することで表示を視認可能であって背面からの光を透過する透明状態となることができるディスプレイである電子ペーパーによる表示を行う第２のステップと、周囲の照度が所定値を超えていないときに、電子ペーパーを透明状態とし、表示を観察する側から見たときに電子ペーパーよりも奥に配置される、発光することにより表示可能なディスプレイである発光型ディスプレイによる表示を行う第３のステップとを有することを特徴とする。
【発明の効果】
【０００９】
本発明によれば、周辺環境に応じて使用者に見やすく表示することのできる、発光型ディスプレイと電子ペーパーとを組み合わせた表示装置、および、発光型ディスプレイと電子ペーパーとを組み合わせた表示装置における表示制御方法を提供できる。
【図面の簡単な説明】
【００１０】
【図１】本発明の第１の実施形態の表示装置の機能ブロックを示す図である。
【図２】本発明の第１の実施形態の表示装置の構成の一部を示す図である。
【図３】本発明の第１の実施形態の表示装置の制御フローを示す図である。
【図４】本発明の第２の実施形態の表示装置の制御フローを示す図である。
【発明を実施するための形態】
【００１１】
以下、図面を参照して本発明を実施するための形態について詳細に説明する。本発明の第１の実施形態は、バックライトつき液晶ディスプレイパネルなどの発光型ディスプレイと電子ペーパーとを組み合わせた表示装置である。
【００１２】
図１は、本発明の第１の実施形態の表示装置の機能ブロックを示す図である。図１を参照すると、本実施形態の表示装置１は、発光型ディスプレイ１０、電子ペーパー１１、照度センサ１２および制御部１３を有する。発光型ディスプレイ１０は、発光することにより外光がなくても表示可能なディスプレイであり、バックライトつき液晶ディスプレイや有機ＥＬディスプレイ、プラズマディスプレイなどが該当する。かかる発光型ディスプレイ１０は、周囲の照度が小さい環境では良好な視認性を有する一方、直射日光下など周囲の照度が大きい環境ではユーザから見たときのコントラストが低下し、視認性が悪化する。
【００１３】
電子ペーパー１１は、ほとんど電力を消費することなく電気的に描画した内容を維持可能であり、外光を反射することで表示を視認可能なディスプレイである。電子ペーパー１１は、電気泳動方式、電子粉流体方式、マイクロカプセル方式などの様々な従来技術により実現可能である。電子ペーパー１１は、所定の制御により、背面からの光を透過する透明状態となることができるよう構成されている。かかる電子ペーパー１１は、周囲の照度が大きい環境では入射する光を反射することで良好な視認性を発揮する一方、周囲の照度が小さい環境では反射すべき光を十分得られないため、視認性が悪化する。
【００１４】
照度センサ１２は、表示装置１の周囲の照度を検出する。照度センサ１２は、フォトトランジスタやフォトダイオードを使用して構成することができる。制御部１３は、発光型ディスプレイ１０と電子ペーパー１１を使用した表示の制御を行う。制御部１３は、専用の回路によって構成してもよいし、汎用プロセッサ上でプログラムを実行して所定の動作を行わせるようにして構成してもよい。
【００１５】
図２は、本発明の第１の実施形態の表示装置の構成の一部を示す図である。図２を参照すると、本実施形態の表示装置１において、発光型ディスプレイ１０と電子ペーパー１１とは、電子ペーパー１１の方が使用者の眼に近くなるように、すなわち表示を観察する側から見たときに電子ペーパー１１が発光型ディスプレイ１０に対して手前となるよう配置される。
【００１６】
図３は、本発明の第１の実施形態の表示装置の制御フローを示す図である。図３を参照すると、本実施形態の表示装置１は、照度センサ１２によって周囲の照度を検出する（ステップＳ１０）。続いて、制御部１３は、ステップＳ１０において照度センサ１２が検出した周囲の照度が所定値を超えているかどうかを判断する（ステップＳ１１）。
【００１７】
ステップＳ１１において、制御部１３が、周囲の照度が所定値を超えていると判断したとき、制御部１３は、発光型ディスプレイ１０に発光動作を実行させず、かつ、電子ペーパー１１を表示状態にする（ステップＳ１２）。このように制御することで、周囲の照度が大きい環境において、より良好な視認性を有する電子ペーパー１１による表示を行うことができる。なお、発光型ディスプレイ１０に発光動作を実行させないようにするにあたり、バックライトつき液晶ディスプレイの場合、バックライトだけを消灯して液晶ディスプレイの駆動を維持したままの状態であってもよい。
【００１８】
ステップＳ１１において、制御部１３が、周囲の照度が所定値を超えていないと判断したとき、制御部１３は、発光型ディスプレイ１０に表示動作を実行させ、かつ、電子ペーパー１１を透明状態にする（ステップＳ１３）。このように制御することで、周囲の照度が小さい環境において、電子ペーパー１１を透過して、より良好な視認性を有する発光型ディスプレイ１０による表示を行うことができる。
【００１９】
以上のように制御することにより、表示装置１は周囲の照度に応じて発光型ディスプレイ１０と電子ペーパー１１とを切り換えて、ユーザにとって視認性よく表示を行うことができるようになる。
【００２０】
続いて、本発明の第２の実施形態について説明する。本発明の第２の実施形態は、第１の実施形態と同様、バックライトつき液晶ディスプレイパネルなどの発光型ディスプレイと電子ペーパーとを組み合わせた表示装置であり、図１および図２で説明したものと同様の構成を有するので、説明を省略する。
【００２１】
図４は、本発明の第２の実施形態の表示装置の制御フローを示す図である。図４を参照すると、照度の検出（ステップＳ２０）、照度の所定値との比較（ステップＳ２１）、照度が所定値を超えているときの動作（ステップＳ２２）は、図３で説明したステップＳ１０、Ｓ１１、Ｓ１２と同様であるため、説明を省略する。
【００２２】
ステップＳ２１において、制御部１３が、周囲の照度が所定値を超えていないと判断したとき、制御部１３は、表示装置１が消費電力を削減すべき節電モードであるか否かを判断する（ステップＳ２３）。
【００２３】
ステップＳ２３において、節電モードであると判断されたとき、制御部１３は、発光型ディスプレイ１０に発光動作を実行させず、かつ、電子ペーパー１１を表示状態にする（ステップＳ２４）。
【００２４】
ステップＳ２３において、節電モードでないと判断されたとき、制御部１３は、発光型ディスプレイ１０に表示動作を実行させ、かつ、電子ペーパー１１を透明状態にする（ステップＳ２５）。
【００２５】
以上のように制御することで、通常使用時には表示の視認性を維持しつつ、表示装置１の消費電力を削減することができる。
【符号の説明】
【００２６】
１    表示装置
１０  発光型ディスプレイ
１１  電子ペーパー
１２  照度センサ
１３  制御部
【図１】
2011075663.tif 000003
【図２】
2011075663.tif 000004
【図３】
2011075663.tif 000005
【図４】
2011075663.tif 000006